(57)【要約】【課題】複数のチケットを設定する際に、禁則となる関係以外に、チケット間で一方を解除したり拒絶したりすることを可能にする。【解決手段】画像データに基づいて画像形成を行う画像形成部と、前記画像データに対応する出力条件を定めたチケットに基づいて出力を制御する制御部とを備え、前記制御部は、複数の前記チケットに基づいた前記制御が可能であり、複数の前記チケット間で禁則となるか否かを判別するとともに、前記禁則以外に複数のチケット間で両立を制限するものであるか否かを判別し、二つのチケットが両立が制限されているものであると判別すると、該判別に基づいて禁則以外のチケット間で一方の解除または拒絶を可能にし、所望により操作表示部で両チケットの設定を制限するか否かの選択操作を可能にする。【選択図】図６
2011248686.tif 000002
【特許請求の範囲】
【請求項１】
画像データに基づいて画像形成を行う画像形成部と、前記画像データに対応する出力条件を定めたチケットに基づいて出力を制御する制御部とを備え、
前記制御部は、複数の前記チケットに基づいた前記制御が可能であり、複数の前記チケット間で禁則となるか否かを判別するとともに、前記禁則以外に複数のチケット間で両立を制限するものであるか否かを判別することを特徴とする画像形成装置。
【請求項２】
前記制御部は、前記出力制御として、前記画像形成または前記画像形成および後処理の制御を行うことを特徴とする請求項１記載の画像形成装置。
【請求項３】
前記チケットの設定入力が可能な操作表示部を有し、前記制御部は、第１のチケットが設定された後、前記操作表示部で第２のチケットが設定された場合、前記第１のチケットと前記第２のチケットが前記両立が制限されているものであると判別すると、前記操作表示部に警告を表示することを特徴とする請求項１または２に記載の画像形成装置。
【請求項４】
前記チケットの設定入力が可能な操作表示部を有し、前記制御部は、第１のチケットが設定された後、前記操作表示部で第２のチケットが設定された場合、前記第１のチケットと前記第２のチケットが前記両立が制限されているものであると判別すると、前記操作表示部で、両チケットの設定を制限するか否かの選択操作を可能にすることを特徴とする請求項１〜３のいずれかに記載の画像形成装置。
【請求項５】
前記チケットの設定入力が可能な操作表示部を有し、前記制御部は、第１のチケットが設定された後、前記操作表示部で第２のチケットが設定された場合、前記第１のチケットと前記第２のチケットが前記両立が制限されているものであると判別すると、前記第１のチケットの設定を解除することを特徴とする請求項１〜３のいずれか１項に記載の画像形成装置。
【請求項６】
前記チケットの設定入力が可能な操作表示部を有し、前記制御部は、第１のチケットが設定された後、前記操作表示部で第２のチケットを設定された場合、前記第１のチケットと前記第２のチケットが前記両立が制限されているものであると判別すると、前記第２のチケットの設定を拒絶することを特徴とする請求項請求項１〜３のいずれか１項に記載の画像形成装置。
【請求項７】
前記制御部は、前記解除に先だって、前記操作表示部で、解除する、解除しない、の選択操作を可能にし、解除しないが選択されると、前記第１のチケットの解除を行わないことを特徴とする請求項５に記載の画像形成装置。
【請求項８】
前記制御部は、前記拒絶に先だって、前記操作表示部で、拒絶する、拒絶しない、の選択操作を可能にし、拒絶しないが選択されると、前記第２のチケットの拒絶を行わないことを特徴とする請求項６に記載の画像形成装置。
【請求項９】
前記第１のチケットがページ単位シフト設定であり、前記第２のチケットが面付け数変更設定もしくは表裏面付けページ変更設定もしくは後処理設定であることを特徴とする請求項３〜８のいずれか１項に記載の画像形成装置。
【請求項１０】
前記第１のチケットがページ単位綴じ方向設定であり、前記第２のチケットが面付け数変更設定もしくは表裏面付けページ変更設定もしくは後処理設定であることを特徴とする請求項３〜８のいずれか１項に記載の画像形成装置。
【請求項１１】
前記第１のチケットがページ単位スタンプ設定設定であり、前記第２のチケットが面付け数変更設定もしくは表裏面付けページ変更設定もしくは後処理設定であることを特徴とする請求項３〜８のいずれか１項に記載の画像形成装置。
【請求項１２】
前記複数のチケットがジョブ単位チケットとページ単位チケットとであることを特徴とする請求項１〜１１のいずれか１項に記載の画像形成装置。
【請求項１３】
前記制御部は、前記禁則となるチケット間の関係と、前記両立が制限されるチケット間の関係が予め規定されていることを特徴とする請求項１〜１２のいずれか１項に記載の画像形成装置。
【請求項１４】
請求項１〜１３のいずれかに記載の画像形成装置と、該画像形成装置に接続された外部機器とを備え、該外部機器に、請求項３〜８のいずれかに記載の操作表示部を備えることを特徴とする画像形成システム。
【発明の詳細な説明】
【技術分野】
【０００１】
この発明は画像データに基づいて画像形成を行う画像形成装置および該画像形成装置と外部機器とが接続された画像形成システムに関するものである。
【背景技術】
【０００２】
画像データに基づいて画像を形成して用紙に転写するプリンタ、ファクシミリ、複写機、複合機などの画像形成装置では、ジョブに関するデータに基づいて画像形成が行われ、さらに所望により後処理がなされる。また、該画像形成装置は外部機器が接続されて画像形成システムとして使用されるものであってもよい。
上記ジョブに関するデータは、出力対象の画像データと出力条件を規定するチケットとを含んでいる。チケットは画像データの出力条件を規定するデータであり、具体的には、両面／片面印刷の別、用紙の選択、倍率、出力部数、画像のシフト量、スタンプの位置、Ｎｉｎ１、章分け、綴じ方向等、小冊子にして出力、ステイプル、中綴じ、パンチ穴開け等、を規定する。チケットは、ジョブ単位のチケット、ページ単位のチケットなどによって構成される。
【０００３】
上記チケットは、通常は、画像形成装置に備える操作表示部や、画像形成装置に接続された外部機器に備えられる操作表示部を通して操作者によって編集、設定される。ただし該設定においては、例えばある機能や印刷属性と別のある機能や印刷属性とが、出力不可であったり矛盾したりしていて同時に設定できない排他の関係になる場合があり、従来の装置では、これらの関係を予め定めた規則に基づいて禁則として、チケット設定を制約している。
この際に、禁則となる設定が選択された場合、警告メッセージを表示することにより操作性を向上する画像形成装置が提案されている（特許文献１参照）。
また、設定編集作業に長けたユーザ向けの通常画面から設定作業に不慣れなユーザや複雑な設定を必要としないユーザ向けの簡単画面とを切り替えて表示可能とし、通常設定画面から簡単設定画面へ切り替える際に必要の無いモードを解除することによって設定操作性を向上させた画像形成装置も提案されている（特許文献２参照）。
【先行技術文献】
【特許文献】
【０００４】
【特許文献１】特開２００７−１４０６６２号公報
【特許文献２】特開２００７−２４９０８９号公報
【発明の概要】
【発明が解決しようとする課題】
【０００５】
上記の従来技術においては、種々のジョブチケット編集およびページ単位チケット編集において、先に設定されているチケットと、今設定しようとしているチケットとが禁則関係にある場合は、先のチケットが解除されたり、後のチケットの設定を受理しない（拒絶する）という処理がなされるのが一般的である。しかし、禁則関係にない場合、先のチケットは継承されることになる。このような場合に、例えば、ジョブ内のそれぞれのページに対し個別にある設定を施した後にジョブ全体設定を編集した場合、具体的には、ページ単位シフト設定後のジョブ全体面付け変更設定、ページ単位綴じ方向設定後のジョブ全体面付け変更設定などを行ったような場合、ページ順や面付けが変更になる。すなわち、ある面付け設定基準でページ単位設定を変更した後に、基準の面付けが変更されるため、ページ単位設定は保障されないことになる。この結果、それぞれのページに対し個別に設定した内容が不要もしくは問題となる場合がある。このような場合には、手動で不要な設定や問題となる設定を解除しなければならないため、設定編集処理が非効率的になる、また、誤プリントが発生する可能性がある、という問題もある。
【０００６】
本発明は、上記事情を背景としてなされたものであり、先に設定されているチケットと後に設定しようとしているチケットとが禁則関係になくとも、いずれかのチケットを制限した方が望ましい場合やチケットの内容が保証されないような場合に、チケットの両立を制限してチケットの設定作業の効率化を図ることを可能にする画像形成装置および画像形成システムを提供することを目的とする。
【課題を解決するための手段】
【０００７】
すなわち、本発明は、画像データに基づいて画像形成を行う画像形成部と、前記画像データに対応する出力条件を定めたチケットに基づいて出力を制御する制御部とを備え、前記制御部は、複数の前記チケットに基づいた前記制御が可能であり、複数の前記チケット間で禁則となるか否かを判別するとともに、前記禁則以外に複数のチケット間で両立を制限するものであるか否かを判別することを特徴とする。
【０００８】
前記制御部は、前記出力の制御として、前記画像形成の制御を行い、後処理装置を備える場合には、前記画像形成に加えて後処理の制御を行う。
【０００９】
前記チケットは、画像形成装置に備える操作表示部や、画像形成装置に接続された外部機器に備える操作表示部を通して操作者が設定入力することができる。
前記制御部は、第１のチケットが設定された後、上記操作表示部で第２のチケットが設定された際に、両チケットが禁則の関係になくても、両立が制限される関係にあると判別すると、両チケットのいずれかを制限することができる。例えば、第１のチケットを解除するか、第２のチケットを拒絶する。また、両チケットが制限される関係にあると判別される場合、操作表示部に警告を表示するようにしてもよい。この場合、上記両チケットの制限を行うことなく、警告を表示するようにして、両チケットの設定変更を可能にするようにしてもよい。また、両チケットが両立が制限される関係の場合、両チケットの制限（例えばチケットの設定解除や設定拒絶）を行うか否かを前記操作表示部で選択操作できるようにしてもよい。
なお、第１のチケットと第２のチケットとは、いずれも操作表示部で設定入力されたものの他、例えば第１のチケットが初期設定によって設定され、第２のチケットが操作表示部で設定入力されたものであってもよい。
【００１０】
操作者によって両チケットの制限を行わないことが選択されると、両チケットの制限を行うことなく第１のチケットと第２のチケットに基づいて出力を行うことができる。これにより、操作者が望まない制限がされて出力されるのを回避できる。
【００１１】
上記第１のチケットと第２のチケットとは、例えばジョブ単位チケットとページ単位チケットの関係を有する場合があり、このような場合、両チケットが制限された方が望ましいことがある。
例えば、第１のチケットがページ単位シフト設定、ページ単位綴じ方向設定、ページ単位スタンプ設定設定であり、前記第２のチケットが面付け数変更設定もしくは表裏面付けページ変更設定もしくは後処理設定である場合を挙げることができる。
面付け数変更設定の例として、通常、Ｎｉｎ１、Ｎリピート、小冊子、無線綴じ等が挙げられる。
表裏面付けページ変更設定の例として、小冊子、無線綴じ、章分け、インターシート、ＰＩ挿入等が挙げられる。
後処理設定の例として、ステイプル、パンチ、折り等が挙げられる。
また、ジョブ単位チケット間、ページ単位チケット間でも同様に制限をした方が望ましいことがある。
【００１２】
なお、本発明の一部形態では、第１のチケット、第２のチケットとして規定しているが、本発明としてはチケットの数が制限されるものではなく、また、チケットの設定入力順序が連続するものに限定されるものではない。したがって、第１のチケットと第２のチケットの間に他のチケットが設定入力されるようなものであってもよい。
【発明の効果】
【００１３】
以上説明したように、本発明によれば、画像データに基づいて画像形成を行う画像形成部と、前記画像データに対応する出力条件を定めたチケットに基づいて出力を制御する制御部とを備え、前記制御部は、複数の前記チケットに基づいた前記制御が可能であり、複数の前記チケット間で禁則となるか否かを判別するとともに、前記禁則以外に複数のチケット間で両立を制限するものであるか否かを判別するので、禁則以外にも両立を制限するチケットを制御部によって判別することで、チケットの設定／編集作業を効率化できる効果がある。
【図面の簡単な説明】
【００１４】
【図１】本発明の一実施形態における画像形成装置の全体図を示す。
【図２】同じく、画像形成システムの全体ブロック図を示す。
【図３】従来のチケット設定のフローチャートを示す。
【図４】本発明の一実施形態におけるフローチャートを示す。
【図５】同じく、他の実施形態におけるフローチャートを示す。
【図６】同じく、さらに他の実施形態におけるフローチャートを示す。
【図７】同じく、ページ単位シフト設定後に２ｉｎ１を設定した場合に、ページ単位シフトを解除するか、２ｉｎ１を拒絶する設定フロー例を示す。
【発明を実施するための形態】
【００１５】
以下に、本発明の一実施形態を添付図面に基づいて説明する。
図１は、画像形成装置全体の中央断面図であり、機械的な構成を示している。以下に、その構成を説明する。
画像形成装置１は、その上部側に、ＣＣＤ１３１を含むスキャナ部１３０、流し込みｔｙｐｅ自動原稿給送装置（ＡＤＦ）１３５が設けられて、プラテンガラス１３７またはＡＤＦ原稿読み取り用スリットガラス１３８を通して原稿の画像読取が可能になっている。
上記したスキャナ部１３０、流し込みｔｙｐｅ自動原稿給送装置（ＡＤＦ）１３５、プラテンガラス１３７、ＡＤＦ原稿読み取り用スリットガラス１３８などにより、スキャナ部に係わる画像読込部が構成されている。
また、画像形成装置１の上部側で、プラテンガラス１３７が位置しない箇所に、タッチパネルからなる操作部１４０が設けられて、操作者による操作および情報の表示が可能になっている。
【００１６】
画像形成装置１の下部側には、複数の給紙トレイ（１−３）１５３（図では３段）が配置され、さらに画像形成装置１に付設するようにして同じく給紙トレイとなる大容量給紙トレイ１５４が配置されている。画像形成装置本体内には、給紙トレイから給紙される用紙を搬送する搬送路、第二給紙ローラー１５５などが設けられており、該搬送路途中に、ＬＤ部１５１ａ、感光体１５１ｂ、帯電器１５１ｃ、現像器１５１ｄ、転写部１５１ｅ、定着器１５１ｆなどで構成される画像形成部１５１が設けられている。
上記画像形成部１５１、給紙トレイ（１−３）１５３、大容量給紙トレイ１５４、搬送路、第２給紙ローラー１５５などによって、本発明のプリンタ部１５０が構成されている。
【００１７】
帯電器１５１ｃ、現像器１５１ｄ、転写部１５１ｅは、感光体１５１ｂの周囲に配置されている。帯電器１５１ｃは、画像書込み前に感光体１５１ｂの表面を一様に帯電する。ＬＤ部１５１ａは、表面が一様に帯電された感光体１５１ｂに半導体レーザを照射することにより感光体１５１ｂに静電潜像を形成する。現像器１５１ｄは、ＬＤ部１５１ａによって感光体１５１ｂに形成された静電潜像をトナー部材によって現像する。この現像処理によって感光体１５１ｂにトナー画像が形成される。転写部１５１ｅは、給紙トレイ（１−３）１５３や大容量給紙トレイ１５４から搬送されてきた用紙に感光体１５１ｂのトナー画像を転写する。トナー像が転写された用紙は、感光体１５１ｂから分離されて定着器１５１ｆに搬送される。感光体１５１ｂに残留したトナー部材は、クリーニング部によって除去される。
【００１８】
定着器１５１ｆは、搬送された用紙を加熱することにより用紙の表面側に転写されたトナー画像を定着する。定着処理が施された用紙は、片面印刷の場合には画像形成装置１側方に位置する後処理装置（ＦＮＳ）１７０にそのまま搬送される。後処理装置（ＦＮＳ）１７０では、ステイプル、パンチ、断裁などが行われる。一方、両面印刷の場合には、定着後の用紙がスイッチバックされて当該用紙の裏面側に画像形成部１５１で所定の画像が転写される。そして、両面に画像が形成された用紙は定着後に後処理装置（ＦＮＳ）１７０に搬送される。
なお、この実施形態では、後処理装置（ＦＮＳ）１７０を備える画像形成装置１について説明をしているが、本発明としては後処理装置（ＦＮＳ）を備えない画像形成装置であってもよい。本体制御部１１０は、画像形成装置１全体の制御を行うものであり、後述するＣＰＵ等によって構成される。
【００１９】
図２は、デジタル複合機（コピア、プリンタ、スキャナ）である画像形成装置１の回路ブロックと外部機器２との接続を示しており、画像形成システムの全体ブロック図である。その内容を以下に詳細に説明する。
画像形成装置１は、本体制御部１１０とスキャナ部１３０と操作部１４０とプリンタ部１５０とを有するデジタルコピア本体と、ＬＡＮ３を通して端末などの外部機器２から入力される画像データを処理し、またはスキャナ部１３０で得た画像データを、ＬＡＮ３を通して外部機器２に転送可能にするプリントコントローラ１６０とを備えている。
【００２０】
本体制御部１１０には前記プリントコントローラ１６０に接続されたＰＣＩバスを有しており、該ＰＣＩバスにＤＲＡＭ制御ＩＣ１１５が接続されている。ＤＲＡＭ制御ＩＣ１１５には、圧縮メモリ１２１と伸長メモリ１２２とからなる画像メモリ１２０が接続されている。圧縮メモリ１２１は、圧縮画像データを格納するためのメモリであり、伸長メモリ１２２は、画像形成前にプリント対象の非圧縮画像データを一時的に格納するためのメモリである。
【００２１】
また、ＰＣＩバスにはＨＤＤ１２３が接続されており、該ＨＤＤ１２３には、スキャナ部１３０で取得した画像データやプリントコントローラ１６０に接続される外部機器２などにより生成された画像データ等を保存する。
上記プリントコントローラ１６０で取得される画像データやＨＤＤ１２３に格納された画像データは、プリント動作に伴ってＰＣＩバスを通してＤＲＡＭ制御ＩＣへと送信される。
【００２２】
また、本体制御部１１０には、画像制御ＣＰＵ１１１を備えており、該画像制御ＣＰＵ１１１に前記ＤＲＡＭ制御ＩＣ１１５が接続されている。
また、画像制御ＣＰＵ１１１には、ＲＯＭなどにより構成されるプログラムメモリ１１２とＲＡＭで構成されるシステムメモリ１１３、フラッシュメモリなどにより構成される不揮発メモリ１１４が接続されている。該不揮発メモリ１１４には、画像形成装置１の初期印刷設定情報や、プロセス制御パラメータ等の機械設定情報、ユーザ設定値、出力設定の初期データ、禁則となるチケット関係の規則や禁則外で両立が制限されるチケット関係の規則などが格納されており、プログラムメモリ１１２には、上記画像制御ＣＰＵ１１１を動作させるための本発明のプログラム等が格納されている。システムメモリ１１３は、画像制御ＣＰＵ１１１が動作する際に、データを一時格納したり、ワークエリアとして用いられる。
【００２３】
画像制御ＣＰＵ１１１は、前記プログラムメモリ１１２、システムメモリ１１３のデータや不揮発メモリ１１４の不揮発データを読み取り可能であり、また、所望のデータをシステムメモリ１１３や不揮発メモリ１１４に書き込むことが可能である。ＩＯ部１１６は、画像形成装置１内の各部との間で情報の授受を行うインターフェースとして動作する。
画像制御ＣＰＵ１１１は、上記機械設定情報や印刷設定情報、チケットの規則などに従って画像形成装置１の各部を動作制御する。
画像制御ＣＰＵ１１１は、上記プログラムメモリ１１２、システムメモリ１１３、不揮発メモリ１１４、ＩＯ部１１６などとともに本発明の制御部を構成する。制御部は、ＨＤＤ１２３や圧縮メモリ１２１に格納された画像データおよびシステムメモリ１１３に格納されたジョブに関するデータ（チケットデータ、画像データアドレスなど）に基づいてＪＯＢの予約、実行等の管理制御を行う。
また、画像制御ＣＰＵ１１１には、記憶装置１１８が接続されており、該記憶装置１１８を通して外部の記憶媒体（ＵＳＢなど）にデータを格納したり、外部の記憶媒体からデータを読み込むことができる。
【００２４】
次に、前記スキャナ部１３０は、光学読み取りを行うＣＣＤ１３１と、スキャナ部１３０全体の制御を行うスキャナ制御部１３２とを備えている。スキャナ制御部１３２は、前記画像制御ＣＰＵ１１１とシリアル通信可能に接続されている。また、前記ＣＣＤ１３１は、該ＣＣＤ１３１で読み取った画像データを処理する読み取り処理部１１７に接続され、該読み取り処理部１１７は前記したＤＲＡＭ制御ＩＣ１１５に制御可能に接続されている。
また、スキャナ部１３０での複数枚の原稿の読み取りを行うために、流し込みｔｙｐｅ自動原稿給送装置１３５を有しており、該流し込みｔｙｐｅ自動原稿給送装置１３５は、該装置全体の制御を行うＡＤＦ制御部１３６を備えている。ＡＤＦ制御部１３６は、前記画像制御ＣＰＵ１１１とシリアル通信可能に接続されている。
【００２５】
前記操作部１４０は、表示部と入力部とを兼ね、タッチパネルで構成されるＬＣＤ１４１と、操作部全体を制御する操作部制御部１４２とを備えており、該操作部制御部１４２は前記画像制御ＣＰＵ１１１にシリアル通信可能に接続されている。操作部１４０では、画像制御ＣＰＵ１１１の制御を受けて、ＬＣＤ１４１によって、画像形成装置１における出力条件設定（チケット設定）や動作制御条件などの機械設定入力、各給紙トレイの用紙情報（サイズ、紙種）の設定入力や、設定内容の表示、警告などの所望の情報等の表示などが可能になっている。したがって、操作部１４０は、本発明の操作表示部に相当する。
【００２６】
また、前記ＤＲＡＭ制御ＩＣ１１５には、画像データを圧縮・伸長する圧縮・伸長ＩＣ１２４が接続されている。
書き込み処理部１２５は、プリンタ部１５０のＬＤ１５１ａなどを備える画像形成部１５１に接続され、ＬＤ部１５１ａの動作に用いられる書き込みデータの処理を行う。
プリンタ部１５０は、上記画像形成部１５１の他、給紙トレイ（１−３）１５３、大容量給紙トレイ１５４で構成される給紙部、搬送路や第二給紙コントローラ−１５５を備える搬送部などにより構成される。
また、プリンタ部１５０は、プリンタ部１５０の全体（給紙、画像形成、排紙、後処理など）を制御するプリンタ制御部１５２を備えており、プリンタ制御部１５２は前記した画像制御ＣＰＵ１１１に接続されている。プリンタ制御部１５２は画像制御ＣＰＵ１１１の制御指令に従って動作してプリンタ部１５０を制御する。プリンタ制御部１５２には、後処理装置１７０全体を制御するＦＮＳ制御部１７１が接続されており、プリンタ制御部１５２を介して後処理装置１７０の制御がなされる。
【００２７】
また、上記のように前記ＤＲＡＭ制御ＩＣ１１５が接続されたＰＣＩバスには、前記プリントコントローラ１６０のＤＲＡＭ制御ＩＣ１６１が接続されている。前記プリントコントローラ１６０は、画像形成装置をネットワークプリンタやネットワークスキャナとして使用する場合に、ＬＡＮ３に接続される外部機器２などから画像データ等を画像形成装置１で受信したり、スキャナ部１３０で取得した画像データをＬＡＮ３に接続される外部機器２などに送信したりするものである。プリントコントローラ１６０では、ＤＲＡＭ制御ＩＣ１６１に、ＤＲＡＭなどで構成される画像メモリ１６２が接続されている。また、プリントコントローラ１６０では、共通バスに前記ＤＲＡＭ制御ＩＣ１６１と、プリントコントローラ１６０全体の制御を行うコントローラ制御ＣＰＵ１６３、ＬＡＮインターフェース１６５が接続されている。ＬＡＮインターフェース１６５は、ＬＡＮ３に接続されている。
【００２８】
次に、上記画像形成装置１の基本的動作について説明する。
先ず、画像形成装置１において画像データを蓄積する手順について説明する。
第１に画像形成装置１において、スキャナ部１３０で画像を読み取り画像データを生成する場合について説明する。スキャナ部１３０において原稿からＣＣＤ１３１により画像を光学的に読み取る。この際には、画像制御ＣＰＵ１１１から指令を受けるスキャナ制御部１３２によってＣＣＤ１３１の動作制御を行う。原稿の読み取りは、流し込みｔｙｐｅ自動原稿給送装置（ＡＤＦ）１３５によって原稿を給送しつつ行ってもよく、また、プラテンガラス１３７上に原稿を置いて行ってもよい。
【００２９】
画像制御ＣＰＵ１１１はプログラムによって動作し、操作部１４０による操作に基づいてスキャナ部１３０への指令を発行する。ＣＣＤ１３１で読み取られた画像は、読み取り処理部１１７でデータ処理がなされ、データ処理された画像データは、ＤＲＡＭ制御ＩＣ１１５を介して圧縮・伸長ＩＣ１２４に送られて所定の方法によって圧縮される。圧縮されたデータは、ＤＲＡＭ制御ＩＣ１１５を介して圧縮メモリ１２１に格納される。また、ＨＤＤ１２３に格納する場合は、圧縮メモリ１２１に一旦格納したデータをＤＲＡＭ制御ＩＣ１１５を介してＨＤＤ１２３に送る。
【００３０】
この他に画像データは、ＬＡＮ３を介して画像形成装置１に入力される。上記画像データとしては、例えば外部機器２などのアプリケーションプログラム等により生成されたものや他の画像形成装置により生成されたものが挙げられる。該データは、ＬＡＮ３、ＬＡＮインターフェース１６５を介してプリントコントローラ１６０で受信され、ＤＲＡＭ制御ＩＣ１６１によって画像メモリ１６２に一旦格納される。上記画像メモリ１６２に格納されたデータは、ＰＣＩバスを介してＤＲＡＭ制御ＩＣ１１５に転送され、伸長メモリ１２２に一旦格納される。伸長メモリ１２２に格納されたデータは、ＤＲＡＭ制御ＩＣ１１５を介して圧縮・伸長ＩＣ１２４に送られて圧縮処理され、ＤＲＡＭ制御ＩＣ１１５を介して圧縮メモリ１２１に格納される。ＨＤＤ１２３に格納する場合は、圧縮メモリ１２１に一旦格納したデータをＤＲＡＭ制御ＩＣ１１５を介してＨＤＤ１２３に送る。
【００３１】
上記画像データの蓄積に際しては、画像データの蓄積前または蓄積後に出力設定がなされる。該出力設定は、前記操作部１４０に操作入力が可能な設定画面を表示して、操作者による操作入力によって行うことができる。また、初期設定において出力設定項目が選択されており、操作者による設定入力がなされない場合にも該初期設定によって出力設定がなされる。
【００３２】
図７は、該設定画面１４００を示すものであり、各種設定釦群１４０１が操作入力可能に表示される。例えば、設定釦群１４０１のうちから、とじしろ釦が操作者によって押下げられると、操作部１４０に、とじしろ設定画面１４１０が操作入力可能に表示される。この画面でページ単位設定釦が押下げられると、操作部１４０に、ページ単位綴じしろ設定画面１４２０が操作入力可能に表示される。該ページ単位綴じしろ設定画面１４２０で設定変更釦が押下げられるとページ単位綴じしろ値入力画面１４３０が入力可能に表示される。この画面でページ単位の綴じしろ値を入力することができる。この画面で確定釦を押下げると、設定画面１４００に戻る。制御部では、上記入力に基づいてページ単位での綴じしろ設定に関するチケットを生成する。
【００３３】
また、設定画面１４００の設定釦群１４０１のうちから、集約釦が操作者によって押下げられると、操作部１４０に、図７に示すように集約設定画面１４４０が操作入力可能に表示される。この画面で集約の設定入力を行い、閉じる釦を押すことで、制御部では集約設定に関するチケットを生成する。また、制御部では、初期設定によって所定の項目に関する出力設定がなされ、操作者による設定変更がなされないものについてはそのままチケットを生成する。
上記のように制御部は、チケット設定手段として機能する。
【００３４】
表１は、上記チケットを含み、システムメモリ１１３に格納されるジョブデータおよびページデータを示すものである。すなわち、ジョブ単位でのチケットとページ単位でのチケットとが含まれている。
【００３５】
【表１】
2011248686.tif 000003
【００３６】
次に、画像形成装置１で画像出力を行う場合、システムメモリ１１３に格納されたジョブデータおよびページデータに基づいて画像データが読み出される。ＨＤＤ１２３に画像データが格納されている場合、画像データをＤＲＡＭ制御ＩＣ１１５を介して圧縮メモリ１２１に一旦格納する。圧縮メモリ１２１に格納されている画像データは、ＤＲＡＭ制御ＩＣ１１５を介して圧縮・伸長ＩＣ１２４に送出してデータを伸長する。伸長したデータはＤＲＡＭ制御ＩＣ１１５を介して書き込み処理部１２５に送出して書き込みデータを生成し、ＬＤ部１５１ａにおいて感光体１５１ｂへの書き込みを行う。
【００３７】
プリンタ部１５０では、画像制御ＣＰＵ１１１の指令を受けたプリンタ制御部１５２によって給紙トレイ（１−３）１５３、大容量給紙トレイ１５４、搬送路などの各部の制御が行われる。プリンタ部１５０において、画像形成、用紙への転写、定着、搬送路による後処理装置（ＦＮＳ）１７０への搬送、後処理装置（ＦＮＳ）１７０での後処理などが順次行われて印刷出力が行われる。この際には、チケットとして設定されている出力条件に基づいて出力がなされる。
【００３８】
以下に、複数のチケットの設定がなされる際の処理手順について、図３〜図６フローチャートに基づいて説明を行う。
先ず、従来の禁則処理における処理手順を図３に基づいて説明する。該処理は、制御部によって実行される。
前記操作部１４０で、第１のチケット（チケットＡ）が設定入力されると、該入力結果が制御部で受け付けられ（ステップｓ１）、その後、第２のチケット（チケットＢ）が設定入力されると、該入力結果が制御部に受け付けられる（ステップｓ２）。
制御部では、上記チケットＡとチケットＢの関係が禁則関係にあるか否かの判別を行う（ステップｓ３））。禁則関係は、予め制御部に規則としてデータ格納されており、前記チケットの内容に応じて前記データが読み出されて禁則関係にあるか否かの判定がなされる。上記禁則としてのデータは、例えば不揮発メモリ１１４に格納しておく。
【００３９】
上記チケットの関係が禁則関係にない場合（ステップｓ３、ＮＯ）、チケットＡにチケットＢが継承される。一方、二つのチケットが禁則関係にある場合（ステップｓ３、ＹＥＳ）、先に設定入力されたチケットＡを解除するか、後に設定入力されたチケットＢの設定を拒絶する（ステップｓ４）。これにより禁則となる出力設定がなされることなくチケットの設定がなされる。しかし、この処理手順では、禁則以外で、両立を制限した方が望ましいチケットがある場合、操作者は手動でチケットの解除等を行ったり、問題のある形で出力がなされてしまったりする。
【００４０】
図４以降のフローチャートでは、従来の禁則以外に両立となるチケットを制限する本発明の処理手順を説明する。該処理はいずれも制御部の制御によって実行される。
なお、それぞれの処理手順で判別対象となるチケットの関係は表２に示しており、それぞれの関係はＮｏ．１、２、３（丸数字）で区別している。
先ず、第１のチケット（チケットＡ）が設定される（ステップｓ１０）。該設定は、操作部１４０で設定入力されたものでよく、また、初期設定によって自動的に設定されたものであってもよい。その後、操作部１４０を介して第２のチケット（チケットＢ）が設定入力されると、制御部に受け付けられる（ステップｓ１１）。
【００４１】
制御部では、上記チケットＡとチケットＢの関係が禁則関係にあるか否かの判別を行う（ステップｓ１２）。禁則関係は、上記と同様に不揮発メモリ１１４に格納されており、必要に応じて読み出され、上記判別に利用される。
上記チケットの関係が禁則関係にある場合（ステップｓ１２、ＹＥＳ）、先に設定されたチケットＡを解除するか、後に設定入力されたチケットＢの設定を拒絶し（ステップｓ１３）、処理を終了する。このような関係（禁則）にあるチケットは、例えば表２でＮｏ．１として表示されたものがある。
【００４２】
一方、上記チケットの関係が禁則関係にない場合（ステップｓ１２、ＮＯ）、二つのチケットの関係において、チケットＢ設定によりチケットＡが意味をなさないか、不要になるものであるか否かの判別がなされる（ステップｓ１４）。この関係は、両立が制限されるチケット関係は、予め制御部に規則データとして格納されており、前記チケットの設定入力に応じて前記データが読み出されて両立が制限されるものであるか否かの判定がなされる。上記データは、例えば不揮発メモリ１１４に格納しておく。
【００４３】
上記チケットの関係が両立が制限される関係でない場合（ステップｓ１４、ＮＯ）、チケットＢをチケットＡに継承して処理を終了する。このような関係にあるチケットは、例えば表２でＮｏ．３として表示されたものがある。
一方、上記チケットの関係が両立が制限される関係である場合（ステップｓ１４、ＹＥＳ）、チケットＡを解除して処理を終了する。このような関係にあるチケットは、例えば表２でＮｏ．２として表示されたものがある。
上記のように制御部は、チケットの解除を判別する手段として機能し、さらにチケットの設定を解除する手段として機能する。
【００４４】
次に、他の形態を図５に基づいて説明する。
第１のチケット（チケットＡ）が設定され（ステップｓ２０）、その後、前記操作部１４０で、第２のチケット（チケットＢ）が設定入力されると、該入力結果が制御部に受け付けられる（ステップｓ２１）。
【００４５】
制御部では、上記チケットＡとチケットＢの関係が禁則関係にあるか否かの判別を行う（ステップｓ２２）。禁則関係の規則データは、上記と同様に不揮発メモリ１１４に格納されており、必要に応じて読み出され、上記判別に利用される。
上記チケットの関係が禁則関係にある場合（ステップｓ２２、ＹＥＳ）、先に設定入力されたチケットＡを解除するか、後に設定入力されたチケットＢの設定を拒絶し（ステップｓ２３）、処理を終了する。このような関係（禁則）にあるチケットは、例えば表２でＮｏ．１として表示されたものがある。
【００４６】
上記チケットの関係が禁則関係にない場合（ステップｓ２２、ＮＯ）、二つのチケットの関係において、チケットＢ設定によりチケットＡが意味をなさないか、不要になるものであるか否かの判別がなされる（ステップｓ２４）。上記と同様に不揮発メモリ１１４に格納されており、必要に応じて読み出され、上記判別に利用される。
【００４７】
上記チケットの関係が両立が制限される関係でない場合（ステップｓ２４、ＮＯ）、チケットＢをチケットＡに継承して処理を終了する。このような関係にあるチケットは、例えば表２でＮｏ．３として表示されたものがある。
一方、上記チケットの関係が両立が制限される関係である場合（ステップｓ２４、ＹＥＳ）、チケットＢを拒絶して処理を終了する。このような関係にあるチケットは、例えば表２でＮｏ．２として表示されたものがある。
上記のように制御部は、チケットの拒絶を判別する手段として機能し、さらにチケットの設定を拒絶する手段として機能する。
【００４８】
さらに、他の形態を図６のフローチャートに基づいて説明する。この形態は、チケット間で禁則以外に両立が制限される関係にある場合に、前記制限を行うか否かを選択可能とする処理手順である。
第１のチケット（チケットＡ）が設定され（ステップｓ３０）、前記操作部１４０で、その後、第２のチケット（チケットＢ）が設定入力されると、該入力結果が制御部に受け付けられる（ステップｓ３１）。
【００４９】
制御部では、上記チケットＡとチケットＢの関係が禁則関係にあるか否かの判別を行う（ステップｓ３２）。禁則関係の規則データは、上記と同様に不揮発メモリ１１４に格納されており、必要に応じて読み出され、上記判別に利用される。
上記チケットの関係が禁則関係にある場合（ステップｓ３２、ＹＥＳ）、先に設定入力されたチケットＡを解除するか、後に設定入力されたチケットＢの設定を拒絶し（ステップｓ３３）、処理を終了する。このような関係（禁則）にあるチケットは、例えば表２でＮｏ．１として表示されたものがある。
【００５０】
上記チケットの関係が禁則関係にない場合（ステップｓ３２、ＮＯ）、二つのチケットの関係において、チケットＢ設定によりチケットＡが意味をなさないか、不要になるものであるか否かの判別がなされる（ステップｓ３４）。上記と同様に不揮発メモリ１１４に格納されており、必要に応じて読み出され、上記判別に利用される。
【００５１】
上記チケットの関係が両立が制限される関係でない場合（ステップｓ３４、ＮＯ）、チケットＢをチケットＡに継承して処理を終了する。このような関係にあるチケットは、例えば表２でＮｏ．３として表示されたものがある。
一方、上記チケットの関係が両立が制限される関係である場合（ステップｓ３４、ＹＥＳ）、前記操作部１４０にチケットＡを解除するか否かを選択操作を行う画面を表示し、操作者による操作を求める（ステップｓ３５）。このような関係にあるチケットは、例えば表２でＮｏ．２として表示されたものがある。
【００５２】
チケットＡを解除する、が選択されると（ステップｓ３５、ＹＥＳ）、制御部はチケットＡを解除して（ステップｓ３６）、処理を終了する。一方、チケットＡを解除しない、が選択されると（ステップｓ３５、ＮＯ）、前記操作部１４０にチケットＢを拒絶するか否かを選択操作を行う画面を表示し、操作者による操作を求める（ステップｓ３７）。チケットＢを拒絶する、が選択されると（ステップｓ３７、ＹＥＳ）、制御部はチケットＢを拒絶して（ステップｓ３８）、処理を終了する。一方、チケットＢを拒絶しない、が選択されると（ステップｓ３７、ＮＯ）、チケットＡにチケットＢが継承されて処理が終了する。すなわち、チケットの解除も拒絶も選択されなければ、両立が制限される２つのチケットを所望により両立させて出力することが可能になる。
【００５３】
チケット間で禁則以外に両立が制限される関係にある場合に、前記制限を行うか否かを選択可能とする画面表示の例を図７に示す。
図７では、既に説明したように、出力条件の設定を行う設定画面１４００が操作部１４０に表示されて各種設定が可能になる。第１のチケットとしてページ単位綴じしろ設定画面１４２０によってページ単位の綴じしろ設定が先になされると、制御部では、該チケットの設定入力を受け付ける。その後、第２のチケットとしてジョブ単位で集約の設定がなされると、制御部では、第１のチケットと第２のチケットとが禁則の関係にあるか否かの判別がなされる。この例では、禁則の関係にないため、両立が制限されているチケットの関係にあるか否かが制御部で判別される。この関係は、ページ単位閉じ方向とＮｉｎ１の関係を含むため、表２に示すように、両立が制限されている関係にある。
【００５４】
このため、制御部では、操作部１４０に、第１のチケット、すなわち、ページ単位綴じしろ設定を解除するか否かを選択させる解除選択画面１４５０を操作入力可能に表示する。
この解除選択画面１４５０で、解除する釦１４５１が選択されると、ページ単位綴じしろ設定を解除し、集約設定のチケットが受け入れられる。解除しない釦１４５２が選択されると、ページ単位綴じしろ設定のチケットが受け入れられる。
また、図６に示すフローチャートでは、解除しない釦１４５２が選択された場合、制御部では、操作部１４０に、Ｎｉｎ１の設定を拒絶するか否かを選択させる拒絶選択画面１４６０を操作入力可能に表示する。この拒絶選択画面１４６０で、拒絶する釦１４６１が選択されると、Ｎｉｎ１の設定を拒絶し、ページ単位綴じしろの設定のチケットが受け入れられる。拒絶しない釦１４６２が選択されると、ページ単位綴じしろの設定が継承されるとともにＮｉｎ１設定のチケットが受け入れられる。
なお、上記説明では、第１のチケットの解除の選択を求める画面を表示し、解除が選択されない場合に第２のチケットの拒絶の選択を求める画面を表示するものとしたが、いずれの選択画面を先に表示するかはこれに限定されるものではない。また、いずれか一方のみの選択画面が表示されるようにしてもよい。一方のみに選択画面が表示されて解除や拒絶をしないことが選択されると、両立が制限されるチケットを両立させるようにすることができる。
【００５５】
次に、表２に示すチケットの組み合わせについて説明する。
これらの組み合わせでは、主として、ページ単位シフト設定後に面付け数または表裏面付けページまたは後処理が変更になるモード変更がなされた場合、ページ単位綴じ方向設定後に面付け数または表裏面付けページまたは後処理が変更になるモード変更がなされた場合、ページ単位スタンプ設定後に面付け数または表裏面付けページまたは後処理が変更になるモード変更がなされた場合に、主として禁則以外で両立が制限されるものとして規定している。
【００５６】
【表２】
2011248686.tif 000004
【００５７】
これらの組み合わせのうち、例えば備考１で示されるＮｉｎ１設定後のページ単位シフトは、Ｎｉｎ１設定ジョブの特定のページのみの画像位置を修正したときに、両者は禁則に該当しないものであり、その後のチケット設定でページ単位シフト設定によってこれを実現できる（図４〜図６のフローチャートでＮｏ．３で示されるものである）。しかし、通常設定ジョブ（１ｉｎ１）の特定ページのみの画像位置をページ単位シフト設定によって修正した後に、Ｎｉｎ１設定や小冊子設定によりページ順、面付け数を変更した場合は、前に設定したページ単位シフトは意味をなさないため、両立を制限するのが望ましい（図４〜図６のフローチャートでＮｏ．２で示されるものである）。
【００５８】
また、表２の組み合わせのうち、例えば備考２で示されるジョブ全体シフト設定をした後に、ステイプルやパンチの後処理を設定した場合には、シフト設定によりステイプル位置と画像位置とが異なる場合が考えられるため、この場合は、シフト設定を解除するのが望ましい（図４〜図６のフローチャートでＮｏ．２で示されるものである）。
【００５９】
また、表２の組み合わせのうち、例えば備考３で示されるように、ポートレイト原稿とランドスケープ原稿が混在しているジョブに対し、章分けまたはインターシートを設定し、ある特定の用紙の綴じ方向（表裏面付け）を変更したい場合は、ページ単位綴じ方向設定によってそれを実現できる（図４〜図６のフローチャートでＮｏ．３で示されるものである）。しかし、ページ単位綴じ方向が既に設定されているジョブに対し、章分け設定またはインターシート設定により、表裏面付けページを変更した場合、章分け設定またはインターシート設定前には、裏面に面付けされたページが表面に面付けされる（その逆も）ことがあるため、前に設定したページ単位綴じ方向では、所望の出力物が得られない。この場合、ページ単位綴じ方向設定を解除するのが望ましい（図４〜図６のフローチャートでＮｏ．２で示されるものである）。
【００６０】
また、表２の組み合わせのうち、例えば備考４で示されるように、章分け＋ページ単位スタンプの組み合わせで、章先頭ページのみにスタンプを印字したい場合がある。章分け設定後に、ページ単位スタンプを設定する場合には、それを実現できる（図４〜図６のフローチャートでＮｏ．３で示される）。しかし、ページ単位スタンプが設定された後に章分け設定を変更する場合には、元々ページ単位スタンプが設定されているページが章先頭ページであるかどうかは不定なので、ページ単位スタンプを解除するのが望ましい（図４〜図６のフローチャートでＮｏ．２で示されるものである）。
【００６１】
上記説明では、画像形成装置について説明したが、画像形成装置と外部機器とが接続された画像形成システムにおいても同様の効果を得ることができる。この場合、外部機器に上記した操作表示部を備え、該操作表示部においてチケットの設定やチケットの解除選択、拒絶選択を行うようにしたものであってもよい。チケット間の禁則の関係や両立の制限の関係は、画像形成装置に備える制御部によって判別を行うことができる。
【００６２】
以上、本発明について上記実施形態に基づいて説明を行ったが、本発明は、上記説明の内容に限定されるものではなく、本発明の範囲を逸脱しない限りは当然に適宜の変更が可能である。
【符号の説明】
【００６３】
１  画像形成装置
２  外部機器
１１１  画像制御ＣＰＵ
１１３  システムメモリ
１３０  スキャナ部
１４０  操作部
１５０  プリンタ部
１６０  プリントコントローラ
【図１】
2011248686.tif 000005
【図２】
2011248686.tif 000006
【図３】
2011248686.tif 000007
【図４】
2011248686.tif 000008
【図５】
2011248686.tif 000009
【図６】
2011248686.tif 000010
【図７】
2011248686.tif 000011